(57)【要約】【課題】入浴者の安全を確保しつつ、効率良くシャワー水を入浴者にかけることができるシャワー入浴用搬送車を提供する。【解決手段】シャワー入浴用搬送車２は、シャワー噴射部を有するシャワー入浴装置の本体部（不図示）に受け入れられる。シャワー入浴用搬送車２は、前記シャワー噴射部から噴射されるシャワー水を通過させるシャワー用貫通穴３１が形成されたサイドガード３０を備える。シャワー用貫通穴３１は、前記シャワー噴射部に対向する外面３０ａ側に比べて当該搬送車２に搭乗する入浴者に対向する内面３０ｂ側の開口が大きく形成されている。【選択図】図４
2015084872.tif 000002
【特許請求の範囲】
【請求項１】
シャワー噴射部を有するシャワー入浴装置の本体部に受け入れられるシャワー入浴用搬送車であって、
前記シャワー噴射部から噴射されるシャワー水を通過させるシャワー用貫通穴が形成されたサイドガードを備え、
前記シャワー用貫通穴は、前記シャワー噴射部に対向する外面側に比べて当該搬送車に搭乗する入浴者に対向する内面側の開口が大きく形成されていることを特徴とするシャワー入浴用搬送車。
【請求項２】
前記シャワー用貫通穴は、前記外面側から前記内面側に向けて徐々に広がる構造を有することを特徴とする請求項１に記載のシャワー入浴用搬送車。
【請求項３】
前記サイドガードには、前記シャワー用貫通穴が複数形成されていることを特徴とする請求項１又は２に記載のシャワー入浴用搬送車。
【請求項４】
複数の前記シャワー用貫通穴は、前記サイドガードの長手方向に並んでいることを特徴とする請求項３に記載にシャワー入浴用搬送車。
【請求項５】
入浴者を臥位で載せる寝台部を備えることを特徴とする請求項１から４のいずれかに記載のシャワー入浴用搬送車。
【請求項６】
入浴者を座位で載せる座部を備えることを特徴とする請求項１から４のいずれかに記載のシャワー入浴用搬送車。
【発明の詳細な説明】
【技術分野】
【０００１】
本発明は、高齢者や病人等の介護が必要な者（被介護者）のシャワー入浴に好適なシャワー入浴用搬送車に関する。
【背景技術】
【０００２】
従来、被介護者を臥位や座位でシャワー入浴させるシャワー入浴装置が知られている（例えば特許文献１−３参照）。シャワー入浴装置を用いて被介護者をシャワー入浴させる場合、被介護者はストレッチャーや車椅子等のシャワー入浴用搬送車に載せられた状態にされる。そして、被介護者が載せられたシャワー入浴用搬送車が、内側にシャワーノズルが設けられた本体部（シャワー浴槽と呼ばれることがある）に受け入れられることによって、被介護者のシャワー入浴が可能になる。
【先行技術文献】
【特許文献】
【０００３】
【特許文献１】特開２０００−１０７２５３号公報
【特許文献２】特開２００６−１４１４８６号公報
【特許文献３】特開２０１２−１８７３４３号公報
【発明の概要】
【発明が解決しようとする課題】
【０００４】
ところで、シャワー入浴用搬送車には、例えば特許文献３に開示されるように、入浴者（被介護者等）の安全を確保する等の目的で、側面部にサイドフェンスが設けられることがある。このようなサイドフェンスが設けられる場合、搬送車（入浴者）の側方からシャワー水を散布しようとすると、サイドフェンスが邪魔になって、入浴者に対するシャワー水の到達効率が悪くなることが懸念される。
【０００５】
シャワー水が入浴者にかかり易くするために、単純にサイドフェンスに大きな開口を形成したり、サイドフェンスと搬送車の寝台部との間に隙間を形成したりすることが考えられる。しかし、これらの構造を採用すると、当該開口や隙間から入浴者の体の一部（手や腕等）がはみ出す可能性があり、サイドフェンスを設けた意味が薄れてしまう。
【０００６】
以上の点に鑑みて、本発明の目的は、入浴者の安全を確保しつつ、効率良くシャワー水を入浴者にかけることができるシャワー入浴用搬送車を提供することである。
【課題を解決するための手段】
【０００７】
上記目的を達成するために本発明のシャワー入浴用搬送車は、シャワー噴射部を有するシャワー入浴装置の本体部に受け入れられるシャワー入浴用搬送車であって、前記シャワー噴射部から噴射されるシャワー水を通過させるシャワー用貫通穴が形成されたサイドガードを備え、前記シャワー用貫通穴は、前記シャワー噴射部に対向する外面側に比べて当該搬送車に搭乗する入浴者に対向する内面側の開口が大きく形成される構成（第１の構成）になっている。なお、サイドガードは、入浴者の安全を確保するために設けられるものであり、このサイドガードによって、搬送車に搭乗する入浴者の体の一部等が搬送車からはみ出したり脱落したりすることを防止できる。
【０００８】
本構成によれば、安全を確保するために設けられるサイドガードにシャワー噴射部から噴射されるシャワー水を通過させるシャワー用貫通穴が形成されている。このために、サイドガードの存在にもかかわらず、シャワー噴射部から噴射されたシャワー水を入浴者（搬送車に搭乗する）に効率良く届ける（かける）ことができる。また、本構成では、サイドガードに形成されるシャワー用貫通穴は外面側が狭く、内面側が広がった構造になっている。このために、シャワー水の通過効率の低下を抑制できるとともに、入浴者の体の一部等（例えば手等）がシャワー用貫通穴を介して搬送車外にはみ出したり脱落したりすることも抑制できる。
【０００９】
上記第１の構成のシャワー入浴用搬送車において、前記シャワー用貫通穴は、前記外面側から前記内面側に向けて徐々に広がる構造を有する（第２の構成）のが好ましい。本構成によれば、シャワー噴射部から噴射された後に放射状等に広がるシャワー水を効率良く入浴者に届けることができる。
【００１０】
上記第１又は第２の構成のシャワー入浴用搬送車において、前記サイドガードには、前記シャワー用貫通穴が複数形成されている構成（第３の構成）が採用されてもよい。シャワー入浴装置の本体部に複数のシャワー噴射部が設けられる場合に、本構成は有効である。
【００１１】
上記第３の構成のシャワー入浴用搬送車において、複数の前記シャワー用貫通穴は、前記サイドガードの長手方向に並んでいる構成（第４の構成）であってよい。本構成によれば、入浴者の体の広い範囲にわたって、シャワー貫通穴を介してシャワー水をかけやすい。
【００１２】
上記第１から第４のいずれかの構成のシャワー入浴用搬送車は、入浴者を臥位で載せる寝台部を備える構成（第５の構成）であってよい。本構成によれば、シャワー入浴用搬送車は、いわゆるストレッチャーとして機能する。このために、本構成は、比較的重度の被介護者をシャワー入浴させるのに好適な構造である。
【００１３】
上記第１から第４のいずれかの構成のシャワー入浴用搬送車は、入浴者を座位で載せる座部を備える構成（第６の構成）であってよい。本構成によれば、シャワー入浴用搬送車は、いわゆる車椅子として機能する。このために、本構成は、椅子に座ることが可能な被介護者をシャワー入浴させるのに好適な構造である。
【発明の効果】
【００１４】
本発明によれば、入浴者の安全を確保しつつ、効率良くシャワー水を入浴者にかけることができるシャワー入浴用搬送車を提供できる。
【図面の簡単な説明】
【００１５】
【図１】本発明の実施形態に係るシャワー入浴用搬送車と対になって使用されるシャワー浴槽部の構成を示す概略正面図
【図２】本発明の実施形態に係るシャワー入浴用搬送車と対になって使用されるシャワー浴槽部の構成を示す概略側面図
【図３】本発明の実施形態に係るシャワー入浴用搬送車と対になって使用されるシャワー浴槽部の構成を示す概略上面図
【図４】本発明の実施形態に係るシャワー入浴用搬送車の構成を示す概略斜視図
【図５】本発明の実施形態に係るシャワー入浴用搬送車がシャワー浴槽部に受け入れられた状態を示す概略正面図
【図６】本発明の実施形態に係るシャワー入浴用搬送車がシャワー浴槽部に受け入れられた状態を示す概略側面図
【図７】本発明の実施形態に係るシャワー入浴用搬送車がシャワー浴槽部に受け入れられた状態を示す概略上面図
【図８】本発明の実施形態に係るシャワー入浴用搬送車が備えるサイドフェンスに設けられたシャワー用貫通穴の説明図
【図９】本発明の他の実施形態に係るシャワー入浴用搬送車が、シャワー浴槽部に受け入れられた状態を示す概略側面図
【図１０】本発明の他の実施形態に係るシャワー入浴用搬送車が、シャワー浴槽部に受け入れられた状態を示す概略正面図
【発明を実施するための形態】
【００１６】
以下、本発明の実施形態に係るシャワー入浴用搬送車について、図面を参照しながら詳細に説明する。本発明の実施形態に係るシャワー入浴用搬送車は、当該搬送車を受け入れる本体部（以下、シャワー浴槽部という）とともにシャワー入浴装置を構成する。理解を容易とするために、まずシャワー浴槽部について説明し、その後、シャワー入浴用搬送車について説明する。
＜シャワー浴槽部＞
【００１７】
図１は、本発明の実施形態に係るシャワー入浴用搬送車と対になって使用されるシャワー浴槽部１の構成を示す概略正面図である。図２は、本発明の実施形態に係るシャワー入浴用搬送車と対になって使用されるシャワー浴槽部１の構成を示す概略側面図である。図３は、本発明の実施形態に係るシャワー入浴用搬送車と対になって使用されるシャワー浴槽部１の構成を示す概略上面図である。なお、シャワー浴槽部１は、外装カバーを装着することによって完成品となるが、構造を理解し易いように、図１から図３においては外装カバーが取り外された状態が示されている。
【００１８】
図１から図３に示されるように、シャワー浴槽部１は、４本の脚部１１によって支持された水受け浴槽１２を備えている。水受け浴槽１２上には、フレーム構造体１３が形成されている。フレーム構造体１３の一部は水を流す配管として使用される。当該配管に流す水は、不図示の給湯設備から得られるようになっている。
【００１９】
フレーム構造体１３の上部には、長手方向に間隔をあけて並ぶ複数の上シャワーノズル１４が取り付けられている。上シャワーノズル１４は下方に向けてシャワー水を噴射する。また、フレーム構造体１３の側部（左右の側部）には、長手方向に間隔をあけて並ぶ複数の横シャワーノズル１５（本発明のシャワー噴射部の一例）が取り付けられている。横シャワーノズル１５は、内側横向きにシャワー水を噴射する。
【００２０】
なお、本実施形態では、複数の上シャワーノズル１４は各列に５個ずつ二列にわたって設けられているが、この列の数や、各列に配置されるノズルの数は適宜変更されてよい。また、本実施形態では、複数の横シャワーノズル１５は左右の側部に６個ずつ配置されているが、この数も適宜変更されてよい。
【００２１】
水受け浴槽１２の長手方向の一端側（図１の手前側、図２、３の右側）には、切欠き部１２ａが形成されている。切欠き部１２ａは、水受け浴槽１２の長手方向の一端から他端に向けて所定の長さ（例えば水受け浴槽１２の長手方向の長さの１／３程度の長さ）延びている。また、切欠き部１２ａは、水受け浴槽１２の短手方向（左右方向）の中央部分に幅狭で設けられている。また、切欠き部１２ａは、水受け浴槽１２を上下方向に貫通している。当該切欠き部１２ａは、後述の内容から明らかとなるように、シャワー浴槽部１にシャワー入浴用搬送車を受け入れる際に利用される。
【００２２】
水受け浴槽１２には、その長手方向の一端（切欠き部１２ａが設けられる側）から他端の手前まで細長く延びるガイド溝１２ｂが形成されている。ガイド溝１２ｂは、水受け浴槽１２の短手方向（幅方向）の中央部分に、切欠き部１２ｂよりもやや幅広に設けられている。ガイド溝１２ｂは、水受け浴槽１２の一端寄りで切欠き部１２ａと重なる。その他、水受け浴槽１２には、浴槽内の水を排出する排水部１２ｃが形成されている。
【００２３】
水受け浴槽１２上に、フレーム構造体１３を覆うようにドーム状のカバー（不図示）が取り付けられることによって、シャワードームが形成される。なお、ドーム状カバーの正面側（図１の手前側が該当）には、シャワー入浴用搬送車をシャワードーム内に受け入れられるように開口が形成されている。また、ドーム状カバーの左右の側面には、介助者が手を入れて入浴者の洗浄を行うための窓や、介助者が入浴者を観察するための窓が形成されている。
＜シャワー入浴用搬送車＞
【００２４】
図４は、本発明の実施形態に係るシャワー入浴用搬送車２の構成を示す概略斜視図である。なお、本実施形態のシャワー入浴用搬送車２は、入浴者を臥位で載せるストレッチャーである。図４に示すように、シャワー入浴用搬送車２は、台座部２０と、台座部２０の上に設けられる寝台部２１とを備える。
【００２５】
台座部２０を構成する台座フレーム２２の四隅の下部には車輪２３が設けられており、当該車輪２３によって台座部２０は床面上を走行可能になっている。台座部２０には、台座フレーム２２に対して上下動可能に設けられるとともに、寝台部２１を支持する支柱２４が備えられる。なお、本実施形態では、支柱２４を上下動させる機構２５は足踏み式となっているが、電動式とされても勿論よい。その他、台座部２０には水受け体２６が設けられている。
【００２６】
入浴者を臥位で載せる寝台部２１は、寝台フレーム２７と、寝台フレーム２７上に載置されるマット２８と、入浴者の頭部を載せる枕部２９と、を備えている。寝台フレーム２７の下面側には、複数のガイドローラー２７ａが長手方向に間隔をあけて配置されている。複数のガイドローラー２７ａは、いずれも寝台部２１の短手方向（幅方向）の中央に位置するように設けられている。また、複数のガイドローラー２７ａは、いずれも上下方向に平行な方向に延びる軸を中心軸として回動可能に設けられている。
【００２７】
寝台部２１の両側面（左右の側面）には、寝台部２１の長手方向に沿って長く延びる板状のサイドフェンス３０（本発明のサイドガードの一例）が取り付けられている。サイドフェンス３０は、シャワー入浴用搬送車２に搭乗する入浴者の安全を確保するために設けられている。
【００２８】
サイドフェンス３０は、入浴者の移乗性を考慮して、図４に示す起立姿勢から倒した姿勢にできる。起立姿勢と倒した姿勢との切り替えは公知の機構を利用して実現可能のため、ここでは詳細な説明は省略する。サイドフェンス３０は、寝台部２１に載った入浴者の安全性を考慮して、起立姿勢である場合に、寝台部２１との間になるべく隙間が発生しないように設けるのが好ましい。その他、サイドフェンス３０には、その長手方向に沿って複数並ぶシャワー用貫通穴３１が設けられているが、これについての詳細は後述する。
【００２９】
図５は、本発明の実施形態に係るシャワー入浴用搬送車２がシャワー浴槽部１に受け入れられた状態を示す概略正面図である。図６は、本発明の実施形態に係るシャワー入浴用搬送車２がシャワー浴槽部１に受け入れられた状態を示す概略側面図で、シャワー浴槽部１については奥側半分のみが描かれ、手前側半分は描かれていない。図７は、本発明の実施形態に係るシャワー入浴用搬送車２がシャワー浴槽部１に受け入れられた状態を示す概略上面図である。なお、図７においてはフレーム構造体１３の一部（上側部分）が省略されている。
【００３０】
図５から図７に示すように、シャワー入浴用搬送車２は、その長手方向とシャワー浴槽部１の長手方向とが略平行となるような姿勢にされて、シャワー浴槽部１に受け入れられる。シャワー入浴用搬送車２は、枕部２９が設けられる側と反対側（入浴者の足側）の端部から先にシャワー浴槽部１に入れられる。
【００３１】
シャワー入浴用搬送車２がシャワー浴槽部１に受け入れられる際に、搬送車２に設けられるガイドローラー２７ａが水受け浴槽１２に設けられるガイド溝１２ｂに案内される構造であるために、搬送車２の浴槽部１への押し込みがスムーズに行える。また、当該押し込みによって、シャワー入浴用搬送車２に設けられる支柱２４が、水受け浴槽１２の切欠き部１２ａに嵌り込むために（図５、図７参照）、寝台部２１は横揺れし難くい状態になる。なお、ガイドローラー２７ａとガイド溝１２ｂとの係合も寝台部２１の横揺れを抑制する。
【００３２】
図５から図７は、シャワー入浴用搬送車２が、シャワー入浴を行うための所定位置（予め設定された位置）まで押し込まれた状態を示している。この状態において、シャワー浴槽部１に設けられる複数の横シャワーノズル１５は、それぞれ、サイドフェンス３０に設けられるシャワー用貫通穴３１に対向した状態になる。このために、各横シャワーノズル１５から噴射されるシャワー水は、シャワー用貫通穴３１を通過可能になる。
【００３３】
図８は、本発明の実施形態に係るシャワー入浴用搬送車２が備えるサイドフェンス３０に設けられたシャワー用貫通穴３１の説明図である。図８（ａ）は、サイドフェンス３０の内面３０ｂ側（シャワー入浴用搬送車２に搭乗する入浴者に対向する側）からシャワー用貫通穴３１を見た場合の概略平面図である。図８（ｂ）は、図８（ａ）のＡ−Ａ位置における概略断面図である。なお、図８（ｂ）には、理解を容易とするために、横シャワーノズル１５と、横シャワーノズル１５から噴射されるシャワー水（一点鎖線で示す）も併せて示している。
【００３４】
図８に示すように、シャワー用貫通穴３１は、横シャワーノズル１５に対向する外面３０ａ側に比べてシャワー入浴用搬送車２に搭乗する入浴者に対向する内面３０ｂ側の開口（開口面積）が大きく形成されている。更に、シャワー用貫通穴３１は、サイドフェンス３０の外面３０ａ側から内面３０ｂ側に向けて開口量が徐々に広がる傾斜構造を有する。
【００３５】
横シャワーノズル１５から噴射されたシャワー水は例えば放射状等に広がる。このために、本実施形態のような構造のシャワー用貫通穴３１を採用することによって、横シャワーノズル１５から噴射されてシャワー用貫通穴３１を通過するシャワー水を、搬送車２に搭乗する入浴者に効率良く届けることができる。また、本実施形態のシャワー用貫通穴３１は、サイドフェンス３０の外面３０ａ側が狭まった構造になっているために、入浴者の体の一部等（例えば手や腕）が、当該貫通穴３１を介して搬送車２外にはみ出したり脱落したりするのを防止できる。すなわち、本実施形態の構造によれば、入浴者の安全を確保し易い。
【００３６】
なお、本実施形態では、シャワー用貫通穴３１の形状を平面視略長方形状としているが、この形状は一例であり、シャワー用貫通穴は例えば平面視円形状等に構成してもよい。また、シャワー用貫通穴３１は、少なくとも、外面３０ａ側に比べて内面３０ｂ側の開口が大きくなっていればよく、その詳細な構造は適宜変更して構わない。
【００３７】
以上からわかるように、本実施形態のシャワー入浴装置を用いれば、例えば仰臥位の入浴者は、上シャワーノズル１４によって体の前面にシャワー水（通常はお湯）を浴びるとともに、横シャワーノズル１５によって体の側面にシャワー水を浴びることになる。側面から浴びせられるシャワー水は入浴者の背面にも至る。本実施形態のシャワー入浴装置では、前面及び側方から効率良くシャワー水を入浴者に浴びせられるので入浴者に対する温浴効果が高くなる。
【００３８】
なお、上述のように側面から浴びせられるシャワー水は入浴者の背面にも至るために、下方から上方に向かってシャワー水を噴き上げるノズルは不要にできる（ただし、取り付けてもよい）。下方から上方に向かってシャワー水を噴き上げる場合、入浴者が失禁した場合に装置全体が汚れることになるが、側方からシャワー水を浴びせる構成ではそのような事態を避けられる。
＜その他＞
【００３９】
以上に示した実施形態は、本発明の例示にすぎない。以上に示した実施形態の構成は、本発明の技術的思想を超えない範囲で適宜変更されて構わない。
【００４０】
例えば、以上に示した実施形態では、シャワー入浴用搬送車２のサイドフェンス３０に設けるシャワー用貫通穴３１の数を複数としたが、場合によっては１つでもよい。
【００４１】
また、以上に示した実施形態では、シャワー入浴用搬送車２のサイドフェンス３０に設ける複数のシャワー用貫通穴３１が長手方向に一列に並ぶ構成としたが、本発明はこの構成に限られる趣旨ではない。シャワー浴槽部１に設けられるシャワーノズルの構成等を考慮して、複数のシャワー用貫通穴３１の配置は適宜変更して構わない。
【００４２】
また、以上に示した実施形態では、シャワー入浴用搬送車がストレッチャーである構成としたが、これに限られる趣旨ではない。例えば、シャワー入浴用搬送車は、入浴者を座位で座らせる座部を有する車椅子等であっても構わない。本発明がシャワー入浴用の車椅子に適用される場合について、図９及び図１０を参照しながら、以下に説明する。
【００４３】
図９は、本発明の他の実施形態に係るシャワー入浴用搬送車５が、シャワー浴槽部４に受け入れられた状態を示す概略側面図である。図９では、シャワー浴槽部４に受け入れられたシャワー入浴用搬送車５の状態が理解しやすいように、シャワー浴槽部４の手前側の側面部分を切り取った状態が示されている。図１０は、本発明の他の実施形態に係るシャワー入浴用搬送車５が、シャワー浴槽部４に受け入れられた状態を示す概略正面図である。図１０では、シャワー浴槽部４に受け入れられたシャワー入浴用搬送車５の状態が理解しやすいように、シャワー浴槽部４の前方部分を切り取った状態が示されている。なお、ここでは椅子に座る入浴者を基準として前後の表現を用いている。
【００４４】
シャワー入浴用搬送車５を受け入れるシャワー浴槽部４（本発明のシャワー入浴装置の本体部の一例）内には、上方から下方に向けてシャワー水を噴射する上シャワーノズル４１と、側方から内側に向けてシャワー水を噴射する横シャワーノズル４２（本発明のシャワー噴射部の一例）とが備えられている。シャワー入浴用搬送車５は、入浴者を座位で載せる車椅子であり、座部５１と、背もたれ部５２と、を備えている。シャワー入浴用搬送車５の座部５１及び背もたれ部５２の両側部には、座部５１に座る入浴者の安全を確保するための板状のサイドガード６０が設けられている。
【００４５】
各サイドガード６０には、横シャワーノズル４２から噴射されるシャワー水を通過させるシャワー用貫通穴６１が形成されている。シャワー入浴用搬送車５が、シャワー浴槽部４内の、シャワー入浴を行うための所定位置（予め設定された位置）まで入れられると（図９、１０に示す状態）、各横シャワーノズル４２は、サイドガード６０に設けられるシャワー用貫通穴６１に対向した状態になる。
【００４６】
シャワー用貫通穴６１は、上述のシャワー用貫通穴３１と同様の構成になっている。すなわち、シャワー用貫通穴６１は、横シャワーノズル４２に対向する外面６０ａ側に比べて当該搬送車５に搭乗する入浴者に対向する内面６０ｂ側の開口が大きく形成されている。このために、安全を確保するためのサイドガード６０を設けたにもかかわらず、シャワー浴槽部４のシャワーノズル４１、４２から噴射されるシャワー水は、前方のみならず側方からも入浴者に効率良く浴びせられる。また、シャワー用貫通穴６１の外面６０ａ側の開口が狭まっているために、入浴者の体の一部が当該貫通穴６１からはみ出す可能性を抑制できる。
【符号の説明】
【００４７】
１、４  シャワー浴槽部（シャワー入浴装置の本体部）
２、５  シャワー入浴用搬送車
１５、４２  横シャワーノズル（シャワー噴射部）
２２  寝台部
３０  サイドフェンス（サイドガード）
３０ａ  サイドフェンスの外面
３０ｂ  サイドフェンスの内面
３１、６１  シャワー用貫通穴
５１  座部
６０  サイドガード
６０ａ  サイドガードの外面
６０ｂ  サイドガードの内面
【図１】
2015084872.tif 000003
【図２】
2015084872.tif 000004
【図３】
2015084872.tif 000005
【図４】
2015084872.tif 000006
【図５】
2015084872.tif 000007
【図６】
2015084872.tif 000008
【図７】
2015084872.tif 000009
【図８】
2015084872.tif 000010
【図９】
2015084872.tif 000011
【図１０】
2015084872.tif 000012